(57)【要約】【課題】  記録又は再生を開始するまでの時間を短縮できる記録又は再生装置を提供する。【解決手段】  管理情報を記憶しておくＲＡＭ１０Ａと、記録媒体装着位置にディスク１が装着されているかを検出する記録媒体有無検出手段１９とを有し、ディスク１が記録媒体装着位置に装着され、管理情報を読み込み後、ＲＡＭ１０Ａに管理情報を記憶させておくことで、例えばディスク１が装着された状態で電源がオフされ、その後電源がオンされた時や、ディスク１の記録／再生以外の状態に切り替えられ、その後ディスク１の記録／再生要求が為された時に、記録媒体有無検出手段１９により記録媒体装着位置にディスク１が装着されていることが検出された場合、ＲＡＭ１０Ａに記憶されている管理情報を、現在装着されているディスク１の管理情報として記録又は再生を開始することで、管理情報読み込みの必要がなく、記録又は再生開始までの時間が大幅に短縮できる。【選択図】  図５
2006252723.tif 000002
【特許請求の範囲】
【請求項１】
データと、このデータの記録又は再生動作について管理を行うための管理情報とが記録される記録媒体に対し記録又は再生を行う記録又は再生手段を備えた記録又は再生装置であって、
前記記録又は再生手段により前記記録媒体から読み出した管理情報を記憶する記憶手段と、
記録媒体装着位置に前記記録媒体が装着されているか否かを検出する記録媒体有無検出手段と、
電源がオフからオンに切り替えられた時に、または、記録又は再生以外の状態から記録又は再生開始要求が為された時に、前記記録媒体有無検出手段が前記記録媒体装着位置に前記記録媒体が装着されていることを検出したときは、前記記憶手段に記憶されている管理情報を有効と判断し、前記記録媒体有無検出手段が前記記録媒体装着位置に前記記録媒体が装着されていないことを検出したときは、前記記憶手段に記憶されている管理情報を無効と判断する判定手段とを設けたことを特徴とする記録又は再生装置。
【請求項２】
電源がオフからオンに切り替えられた時に前記判定手段により前記記憶手段に記憶されている管理情報を有効と判断され、かつ記録又は再生開始要求が為された場合、または、記録又は再生以外の状態から記録又は再生開始要求が為された時に前記判定手段により前記記憶手段に記憶されている管理情報を有効と判断された場合、前記記録又は再生手段は前記記憶手段に記憶されている管理情報を参照して記録又は再生を開始することを特徴とする請求項１記載の記録又は再生装置。
【請求項３】
前記記録又は再生手段は、前記記録媒体を回転させる回転手段と、前記記録媒体にレーザ光を照射し反射光を検出する光学ヘッドと、前記光学ヘッドで検出される反射光に基づいた信号を入力し前記光学ヘッドを前記記録媒体に追随させるサーボ制御を行うサーボ制御手段とを含み、
前記記録媒体有無検出手段は、前記サーボ制御手段に内蔵され、前記光学ヘッドで検出される反射光に基づいた信号の有無により前記記録媒体装着位置に前記記録媒体が装着されているか否かを検出することを特徴とする請求項１記載の記録又は再生装置。
【請求項４】
閉状態のときに前記記録媒体を前記記録媒体装着位置に装着できる開閉可能な記録媒体装着手段を備え、
前記記録媒体有無検出手段は、前記記録媒体装着手段に設けられ、前記記録媒体装着手段の開閉動作に基づいて前記記録媒体が前記記録媒体装着位置に装着されているか否かを検出することを特徴とする請求項１記載の記録又は再生装置。
【請求項５】
前記判定手段は、前記記録媒体有無検出手段による検出結果が、前記記録媒体が装着されていることを検出している状態の後に前記記録媒体が装着されていないことを検出している状態になったときに、前記記憶手段に記憶されている管理情報を無効と判断することを特徴とする請求項４記載の記録又は再生装置。
【請求項６】
前記記憶手段は、記録媒体の管理情報だけでなく、前回記録又は再生していたときの記録又は再生状態に関する情報をも記憶し、前記判定手段は前記管理情報とともに前記記録又は再生状態に関する情報の有効・無効を判断することを特徴とする請求項１記載の記録又は再生装置。
【請求項７】
前記記録又は再生手段は、前記記録媒体を回転させる回転手段と、前記記録媒体にレーザ光を照射し反射光を検出する光学ヘッドと、前記光学ヘッドを前記記録媒体に追随させるサーボ制御を行うサーボ制御手段とを含み、
前記記憶手段は、記録媒体の管理情報だけでなく、前回管理情報を再生したときの記録媒体のサーボ制御に関する情報をも記憶し、前記判定手段は前記管理情報とともに前記サーボ制御に関する情報の有効・無効を判断することを特徴とする請求項１記載の記録又は再生装置。
【発明の詳細な説明】
【技術分野】
【０００１】
本発明は、例えば光磁気ディスクなどの記録媒体において、特に管理情報によって、記録／再生データについて所要の管理が為される記録媒体に対する、記録又は再生装置に関するものである。
【背景技術】
【０００２】
従来、音楽情報や各種データを記録するための光ディスクとして、コンパクトディスク(以下、ＣＤと略称する)が用いられてきた。しかしながら、近年においてはＣＤと同等の再生時間を有し、かつ、記録が可能な光ディスクとして、ＣＤ−Ｒやミニディスク（以下、ＭＤと略称する）などの情報記録可能な光ディスクが普及している。
【０００３】
例えばＭＤにおいては、磁界変調オーバーライト方式による情報の書き込みが行われており、光ビームのレーザパワーを上げ、ディスク表面上の温度をキューリー温度まで高めつつ、光ビームが照射された光ディスクの磁性膜の部分に磁気ヘッドでＮ及びＳ極の磁界を加えることにより情報が記録される。一方、再生時においては以上のような記録面に光ビームが照射されると、光ディスクの磁性膜において磁気カー効果が生じ、戻り光の偏光面がＮ・Ｓに対応して正または逆方向にわずかに回転する。光ピックアップ内には二つの受光素子が備えられており、このわずかな偏向角による戻り光を検出し、RFICにより当該二つの受光素子の出力の和信号もしくは差信号を作成することによりＲＦ信号を作成し、再生動作を行っている。このＭＤシステムにおいては、ディスク上でユーザが記録を行った領域や、まだ何も記録されていない領域を管理するために、音楽等の主データとは別に、ユーザＴＯＣ（以下Ｕ−ＴＯＣという）という管理情報が記録されている。記録装置において記録する場合は、このＵ−ＴＯＣを参照しながら、記録可能領域を判断し記録を行ない、再生装置において再生する場合は、このＵ−ＴＯＣを参照しながら、音楽等の情報が記録されている物理的な位置を判断し再生を行う。
【０００４】
つまり、Ｕ−ＴＯＣには記録された各楽曲等がトラックという単位で管理され、そのスタートアドレス、エンドアドレス、リンク情報等が記される。また何も記録されていない未記録領域（フリーエリア）についてはデータ記録可能領域として、そのスタートアドレス、エンドアドレス、リンク情報等が記される。さらに、ＭＤシステムにおいては、ユーザがオリジナルのディスクを作成できるよう、音楽等の記録データの分割、連結、トラックナンバーの変更、トラックの消去、ディスクタイトルの入力やトラック名の入力等の多彩な編集処理ができるが、これらの情報をＵ−ＴＯＣによりディスク上の領域が管理されことにより、これらの編集処理を音楽等の主データを直接書き換えることなく、容易でしかも迅速に実行できることになる。また、例えば或る楽曲の記録を行おうとする際には、記録装置はＵ−ＴＯＣからディスク上のフリーエリアのアドレスを確認し、物理的に記録可能な領域を判断し、そこに音楽データ等を記録していったり、或いはあるトラックを消去しながら上書き記録を行う場合は、そのトラックのアドレスを確認していきながらそこに音楽データを記録していくことになる。
【０００５】
従来の先行事例としては、前回用いていたディスクの再生専用データである第１の管理情報(ＴＯＣ)と第２の管理情報(Ｕ−ＴＯＣ)の一部を記憶しておき、読み込まれた第２の管理情報(Ｕ−ＴＯＣ)と記憶しておいた第２の管理情報の一部が一致した場合、第１の管理情報をリードせずに、再生もしくは記録動作に移行している（例えば、特許文献１参照。）。
【特許文献１】特開平８−２４９８６３号公報（第１１頁、図２）
【発明の開示】
【発明が解決しようとする課題】
【０００６】
ところで、このように管理情報によって、記録／再生データについて所要の管理が為される記録媒体を用いた記録再生装置では、ディスクを装着した際や電源をオンしたとき、また当該記録媒体の記録／再生モードに切り換えられたときなど、記録／再生動作を開始する前に管理情報を読み込む必要があるが、ＭＤなどの光磁気記録ディスクなどは、第１の管理情報であるＰ−ＴＯＣと第２の管理情報であるＵ−ＴＯＣの両方を読み込まなければならない。一方、再生専用のＣＤなどでは、Ｐ−ＴＯＣの読み込みが必要である。これらの管理情報の読み込みが終了しなければ、記録媒体に対する記録や再生を行うことはできないため、実際の記録再生動作を開始するまでの時間としては、この管理情報の読み込みしている時間分、余計にかかってしまう。これによって例えばユーザがディスクを挿入した際や電源をオンしたとき、また当該記録媒体の記録／再生モードに切り換えられたときなど、実際の記録再生動作が開始可能となるまでの時間がかかってしまい、ユーザの操作性が悪化するという問題があった。
【０００７】
本発明は、上記の課題を解決するために、管理情報によって、記録／再生データについて所望の管理が為される記録媒体に記録されているデータの記録／再生動作について、記録／再生開始までの時間を短縮化し、ユーザの操作性を向上させることのできる記録又は再生装置を提供することを目的とする。
【課題を解決するための手段】
【０００８】
本発明の記録又は再生装置は、データと、このデータの記録又は再生動作について管理を行うための管理情報とが記録される記録媒体に対し記録又は再生を行う記録又は再生手段を備えた記録又は再生装置であって、記録又は再生手段により記録媒体から読み出した管理情報を記憶する記憶手段と、記録媒体装着位置に記録媒体が装着されているか否かを検出する記録媒体有無検出手段と、電源がオフからオンに切り替えられた時に、または、記録又は再生以外の状態から記録又は再生開始要求が為された時に、記録媒体有無検出手段が記録媒体装着位置に記録媒体が装着されていることを検出したときは、記憶手段に記憶されている管理情報を有効と判断し、記録媒体有無検出手段が記録媒体装着位置に記録媒体が装着されていないことを検出したときは、記憶手段に記憶されている管理情報を無効と判断する判定手段とを設けたことを特徴とする。
【０００９】
また本発明において、電源がオフからオンに切り替えられた時に判定手段により記憶手段に記憶されている管理情報を有効と判断され、かつ記録又は再生開始要求が為された場合、または、記録又は再生以外の状態から記録又は再生開始要求が為された時に判定手段により記憶手段に記憶されている管理情報を有効と判断された場合、記録又は再生手段は記憶手段に記憶されている管理情報を参照して記録又は再生を開始することを特徴とする。
【００１０】
以上のような本発明の構成によれば、記録媒体が記録媒体装着位置に装着され、管理情報を読み込み後、記憶手段に管理情報を記憶させておくことで、例えばディスク等が装着された状態で電源がオフされ、その後電源がオンされた時や、当該記録記録媒体の記録／再生以外の状態に切り替えられ、その後当該記録媒体の記録／再生要求が為された時に、記録媒体有無検出手段により、記録媒体装着位置に記録媒体が装着されていることが検出された場合、記憶手段に記憶されている管理情報は、現在装着されている記録媒体の管理情報として、記録又は再生を開始できるため、管理情報読み込みの必要がなく、記録又は再生開始までの時間が大幅に短縮できる。
【００１１】
また本発明において、記録又は再生手段は、記録媒体を回転させる回転手段と、記録媒体にレーザ光を照射し反射光を検出する光学ヘッドと、光学ヘッドで検出される反射光に基づいた信号を入力し光学ヘッドを記録媒体に追随させるサーボ制御を行うサーボ制御手段とを含み、記録媒体有無検出手段は、サーボ制御手段に内蔵され、光学ヘッドで検出される反射光に基づいた信号の有無により記録媒体装着位置に記録媒体が装着されているか否かを検出することを特徴とする。
【００１２】
この構成によれば、記録媒体有無検出手段をサーボ制御手段で構成することで、新たな回路や制御手段を必要とせず実現できる。
【００１３】
また本発明において、閉状態のときに記録媒体を記録媒体装着位置に装着できる開閉可能な記録媒体装着手段を備え、記録媒体有無検出手段は、記録媒体装着手段に設けられ、記録媒体装着手段の開閉動作に基づいて記録媒体が記録媒体装着位置に装着されているか否かを検出することを特徴とする。
【００１４】
この構成によれば、記録媒体装着手段に設けられた記録媒体有無検出手段からの情報を判定手段例えばシステムコントローラの汎用ポートで受けることで容易に実現できる。
【００１５】
さらに本発明において、判定手段は、記録媒体有無検出手段による検出結果が、記録媒体が装着されていることを検出している状態の後に記録媒体が装着されていないことを検出している状態になったときに、記憶手段に記憶されている管理情報を無効と判断することを特徴とする。
【００１６】
これにより、記録媒体有無検出手段で、記録媒体有りと検出された状態から無しと検出されたとき（記録媒体が取り出されたとき）に、記憶手段に記憶された当該記録媒体の管理情報は無効と判断されるため、電源がオフのときに記録媒体が抜かれる可能性のある携帯型ディスクプレーヤにおいては、例えばユーザがメカの蓋をオープンしたときに電源が入るようにしておけば、記録媒体有無の検出を行うことができ、記録媒体装着位置に記録媒体が無いことを検出できなかったり、記録媒体が交換されているのに交換される前の管理情報を参照し、誤って記録又は再生動作に入ってしまうなどの誤動作は起こらない。
【００１７】
また本発明において、記憶手段は、記録媒体の管理情報だけでなく、前回記録又は再生していたときの記録又は再生状態に関する情報をも記憶し、判定手段は管理情報とともに記録又は再生状態に関する情報の有効・無効を判断することを特徴とする。
【００１８】
この構成によれば、記憶手段に、前回記録又は再生していたときの記録／再生情報（プログラム再生情報、記録／再生ＶＯＬ値、音場設定、記録入力選択ソース情報等）を記憶させることで、再度同一記録媒体から、記録又は再生する際のユーザの再設定が不要となる。
【００１９】
また本発明において、記録又は再生手段は、記録媒体を回転させる回転手段と、記録媒体にレーザ光を照射し反射光を検出する光学ヘッドと、光学ヘッドを記録媒体に追随させるサーボ制御を行うサーボ制御手段とを含み、記憶手段は、記録媒体の管理情報だけでなく、前回管理情報を再生したときの記録媒体のサーボ制御に関する情報をも記憶し、判定手段は管理情報とともにサーボ制御に関する情報の有効・無効を判断することを特徴とする。
【００２０】
この構成によれば、記憶手段に、前回管理情報を再生したときの記録媒体のサーボ制御に関する情報を記憶させることで、再度同一記録媒体から、記録又は再生する際、サーボ制御の立ち上げ処理を簡素化できるため、記録又は再生開始までの時間が短縮できる。
【発明の効果】
【００２１】
本発明によれば、記録媒体装着位置に装着された記録媒体の管理情報や、前回記録又は再生していたときの記録／再生情報、及びサーボ制御に関する情報を記憶しておくことにより、管理情報の読み込み時間、記録媒体の記録又は再生時のサーボ起動時間が短縮され、所望の記録／再生動作に即座に移行できるだけでなく、前回再生していたときの状態への再設定が不要になるため、ユーザにとっての操作性が向上する、非常に有益なシステムを提供することが可能となる。
【発明を実施するための最良の形態】
【００２２】
以下、本発明の実施の形態を図面に基づいて説明する。本発明の実施の形態では、光磁気ディスクであるＭＤを記録媒体として用いた記録又は再生装置を例として説明する。
【００２３】
先ず、記録／再生装置の構成について説明する。
【００２４】
図1は本発明が適用される一例の記録再生装置のブロック図を示している。音声データが記録されているディスク１はディスクカートリッジ１Ａ内に納められており、ディスクカートリッジ１Ａにはディスクに対する記録の可否を設定する誤消去防止爪１Ｂが設けられている。このディスク１はスピンドルモータ２により回転駆動される。そしてディスク１に対しては記録／再生時に光学ヘッド３によってレーザ光が照射される。
【００２５】
光学ヘッド３は、記録時にディスク表面をキューリー温度まで加熱するため高レベルのレーザ光を出力し、また再生時には、磁気カー効果により反射光からデータを検出するための比較的低レベルのレーザ光を出力する。このため、光学ヘッド３にはレーザ出力手段としてのレーザダイオード、偏光ビームスプリッタや対物レンズ等からなる光学系、及び反射光を検出するためのディテクタが搭載されている。
【００２６】
また、ディスク１を挟んで光学ヘッド３と対向する位置に磁気ヘッド４が配置されている。磁気ヘッド４は磁気ヘッド駆動回路５によって、入力されたデータによって変調された磁界をディスク１に印加する動作を行う。光学ヘッド３及び磁気ヘッド４は、図示しないスレッド機構によりディスク１の半径方向に移動可能となっている。
【００２７】
再生動作によって、光学ヘッド３によりディスク１から検出された情報はＲＦＩＣ６に入力される。ＲＦＩＣ６は入力された情報のＩ／Ｖ変換や増幅／演算処理により、再生ＲＦ信号、サーボ制御のために必要なフォーカス系／トラッキング系等の各種信号、グルーブ情報（ディスク１にプリグルーブ（ウォブリンググルーブ）として記録されている絶対位置信号）等を抽出する。ＲＦＩＣ６によって生成された再生ＲＦ信号はＥＦＭ／ＣＩＲＣエンコーダ／デコーダ部７に入力される。また、サーボ制御のために必要なフォーカス系／トラッキング系等の各種信号はサーボ回路８に入力され、グルーブ情報はアドレスデコーダ９に入力される。
【００２８】
サーボ回路８はＲＦＩＣ６から入力されたサーボ制御に必要な各種信号により演算処理を行い、マイクロコンピュータにより構成されるシステムコントローラ１０からのフォーカス制御指令、アクセス指令、スピンドル回転制御指令等により、フォーカスサーボ、トラッキングサーボ、スレッドサーボ、スピンドルサーボ制御等の各種サーボ駆動信号を生成し、光学ヘッド３を制御してフォーカス、トラッキング、スレッド制御を行い、スピンドルモータ２を制御してスピンドル制御を行う。
【００２９】
アドレスデコーダ９は入力されたグルーブ情報をデコードしてアドレス情報を抽出する。このアドレス情報はシステムコントローラ１０により読み出され、アクセス動作等の制御動作に用いられる。また再生ＲＦ信号についてはＥＦＭ／ＣＩＲＣエンコーダ／デコーダ部７においてＥＦＭ復調、ＣＩＲＣ等のデコーダ処理が行われるが、このときデータとして再生ＲＦ信号に含まれているヘッダアドレス、サブコードなども抽出され、システムコントローラ１０により読み出される。
【００３０】
ＥＦＭ／ＣＩＲＣエンコーダ／デコーダ部７でＥＦＭ復調、ＣＩＲＣ等のデコード処理された音声データは、メモリコントローラ１１によって一旦バッファメモリ１２に書き込まれる。なお、光学ヘッド３によるディスク１からのデータの読み取り、光学ヘッド３からバッファメモリ１２までの系における再生データの転送速度はスピンドル線速度（ＣＬＶ）１倍速時、約1.4Mbit/Sであり、バッファメモリ１２に書き込まれた音声データの容量を制御しながら間欠的に行われる。
【００３１】
バッファメモリ１２に書き込まれたデータは、所定量以上データが貯まった段階でシステムコントローラ１０からの指令により音声圧縮エンコーダ／デコーダ部１３に入力される。そして圧縮されたデータを記録されているモードに応じてデコード処理等の再生信号処理が施され、Ｄ／Ａ変換器１４によってアナログ信号に変換されて図示しない所定の増幅回路を通して再生出力される。例えば、Ｌ，Ｒアナログオーディオ信号として出力される。なお、バッファメモリ１２からのデータの読み出しにおいて、音声圧縮エンコーダ／デコーダ部１３の再生データの転送速度は約0.3Mbit/Sであり、再生されている間は連続的に行われる。
【００３２】
ディスク１に対して記録動作が行われるときには、記録信号（例えばアナログオーディオ信号）はＡ／Ｄ変換器１５によって、デジタルデータに変換された後、音声圧縮エンコーダ／デコーダ部１３に入力され、システムコントローラ１０からの指令により記録するモード指令が為された後、音声圧縮エンコード処理を施される。音声圧縮エンコーダ／デコーダ部１３によって圧縮された記録データはメモリコントローラ１１によって一旦バッファメモリ１２に書き込まれる。そしてバッファメモリ１２内に所定量以上データが貯まった段階で、システムコントローラ１０からの指令により、ＥＦＭ／ＣＩＲＣエンコーダ／デコーダ部７に送られる。そしてＥＦＭ／ＣＩＲＣエンコーダ／デコーダ部７でＣＩＲＣエンコード、ＥＦＭ変調等のエンコード処理が施された後、磁気ヘッド駆動回路５に入力される。
【００３３】
そして、磁気ヘッド駆動回路５はエンコード処理された記録データに応じて、磁気ヘッド４に磁気ヘッド駆動信号を入力する。つまり、ディスク１に対して磁気ヘッド４によるＮまたはＳの磁界が印加される。また、このとき光学ヘッド３のレーザ出力は、高レベルの出力が維持されるよう制御される。バッファメモリ１２を介することで、連続的に入力される音声データについての記録動作は間欠的に行われることになる。
【００３４】
操作部である操作ＫＥＹ１６には、ユーザ操作に使われる各種ＫＥＹが設けられている。例えば、ＲＥＣキー、ＰＬＡＹキー、ＳＴＯＰキー、ＣＵＥキー、ＲＥＶキーが設けられ、その操作情報はシステムコントローラ１０に送られる。表示部１７は例えばＬＣＤディスプレイによって構成され、動作状態、トラックナンバー、トラックモード、演奏時間情報等がシステムコントローラ１０の制御に基づいて表示される。
【００３５】
誤消去防止爪検出部１８は、ディスク１のディスクカートリッジ１Ａに設けられた誤消去防止爪１Ｂの設定状態を検出する機構部とされ、誤消去防止爪検出部１８の検出信号は、システムコントローラ１０に入力される。
【００３６】
また、ディスク１に対して記録／再生動作を行う際には、ディスク１に記録されている管理情報、即ちＴＯＣ（Table Of Contents）、Ｕ−ＴＯＣ（User Table Of Contents）を読み出す必要がある。システムコントローラ１０はこれらの管理情報に応じてディスク１上の記録可能なエリアの検出や、再生するトラックナンバーのアドレス情報を検出する。この管理情報は例えばバッファメモリ１２に保持される。このためバッファメモリ１２は、上記した記録データや再生データのバッファエリアと、これら管理情報を保持するエリアが分割されている。そして、システムコントローラ１０はこれらの管理情報を、ディスク１が装填された際に管理情報の記録されたディスクの最内周付近へ光学ヘッド３をアクセス制御し、再生実行させることによって読み出し、バッファメモリ１２に記憶しておき、以後そのディスク１に対する記録／再生動作の際に参照できるようにしている。
【００３７】
また、Ｕ−ＴＯＣはデータの記録や消去に応じて編集されて書き換えられるものであるが、システムコントローラ１０は記録／消去動作のたびにこの編集処理をバッファメモリ１２に記憶されたＵ−ＴＯＣ情報に対して行い、その書き換え動作に応じて所定のタイミング（一般的には、ディスクがアンローディングされる前）でディスク１のＵ−ＴＯＣエリアについても書き換え動作を行う。
【００３８】
ここで、ディスク１において、トラックの記録／再生動作などの管理を行う管理情報として、ＴＯＣセクタについて説明する。ＴＯＣ情報としては、ディスクの記録可能エリア（レコーダブルエリア）などのエリア指定やＵ−ＴＯＣエリアの管理等が行われる。なお、ディスク１が再生専用の光ディスクである場合は、ＴＯＣ情報はＲＯＭ化されて記録されており、楽曲の管理も行うことができるような構成になっている。
【００３９】
図2はＴＯＣ領域（例えばディスク最内周側のＲＯＭエリア）において繰り返し記録されるＴＯＣ情報の１つのセクタ（セクタ０）を示している。なお、ＴＯＣセクタはセクタ０から４まで存在するが、セクタ１以降はオプションとされている。ＴＯＣセクタ０のデータ領域（４バイト×５８８＝２３５２バイト）は、先頭位置にオール０またはオール１の１バイトデータによって構成される合計１２バイトの同期パターンにクラスタアドレス及びセクタドレスを示すアドレス等が４バイト付加され、合計１６バイトで本セクタのヘッダが構成される。また、ヘッダに続いて所定アドレス位置に“ＭＩＮＩ”という文字列に対応したアスキーコードによる識別ＩＤが付加され、ＴＯＣ領域であることが示される。
【００４０】
さらに続いて、ディスクタイプや記録レーザパワーレベル、記録されている最初の楽曲の曲番（First TNO）、最後の楽曲の曲番（Last TNO）、リードアウトスタートアドレス、パワーキャリブレーションエリアスタートアドレス、Ｕ−ＴＯＣのスタートアドレス、記録可能なエリア（レコーダブルユーザエリア）のスタートアドレス等が記録されている。
【００４１】
さらに続いて、ピット形態で記録されている各楽曲等を後述する管理テーブル部におけるパーツテーブルに対応させるテーブルポインタ（P-TNO1〜P-TNO255）を有する対応テーブル指示データ部が用意されている。
【００４２】
そして対応テーブル指示データ部に続く領域には、テーブルポインタ（P-TNO1〜P-TNO255）に対応されることになる（01h）〜（FFh）までの２５５個のパーツテーブルが設けられた管理テーブル部が用意されている。なお本明細書において“h”を付した数値はいわゆる１６進表記のものである。それぞれのパーツテーブルには、あるパーツについて起点となるスタートアドレス、終端となるエンドアドレス、及びそのパーツのトラックモード情報が記録できるようになっている。
【００４３】
各パーツテーブルにおけるトラックモード情報とは、そのパーツが例えばオーバーライト禁止やデータ複写禁止に設定されているか否かの情報や、オーディオ情報か否か、ATRACの記録モード（ATRAC1 SP、ATRAC3 LP2、ATRAC3 LP4）等が記録されている。
【００４４】
管理テーブル部における（01h）〜（FFh）までの各パーツテーブルは、テーブルポインタ（P-TNO1〜P-TNO255）によって、そのパーツの内容が示される。
【００４５】
つまり、第１曲目の楽曲についてはテーブルポインタP-TNO1としてあるパーツテーブル（例えば（01h））のスタートアドレスは第１曲目の楽曲が記録された位置のスタートアドレスとなり、同様にエンドアドレスは第１曲目の楽曲が記録された位置のエンドアドレスとなる。さらに、トラックモード情報はその第１曲目についての情報となる。
【００４６】
なお、実際にはテーブルポインタには所定の演算処理によりＴＯＣセクタ０内のバイトポジションであるパーツテーブルを示すことができる数値が記されている。
【００４７】
同様に第２曲目についてはテーブルポインタP-TNO2に示されるパーツテーブル（例えば（02h））に、その第２曲目の楽曲が記録された位置のスタートアドレス、エンドアドレス、及びトラックモード情報が記録されている。
【００４８】
以下同様にテーブルポインタはP-TNO255まで用意されているため、ＴＯＣ上では、第２５５曲目まで管理可能とされている。そして、このようにＴＯＣセクタ０が形成されることにより、例えば再生専用の光ディスクの再生時において所定の楽曲をアクセスして再生することができる。
【００４９】
なお、記録／再生可能なディスクの場合、いわゆるプレレコードされた楽曲エリアが存在しないため、上記した対応テーブル指示データ部及び管理テーブル部は使用されず（これらは続いて説明するＵ−ＴＯＣ情報で管理される）、従って、各バイトはすべて“00h”とされている。ただし、全ての楽曲がピット形態で記録されている再生専用のディスクにおいては、楽曲の管理に上記対応テーブル指示データ部及び管理テーブル部が用いられる。
【００５０】
次に、Ｕ−ＴＯＣセクタについて説明する。図３は、Ｕ−ＴＯＣセクタ０のフォーマットを示すものである。なお、Ｕ−ＴＯＣセクタとしてはセクタ０からセクタ４まで設けることができるが、セクタ１，４は文字情報、セクタ２は記録日時を記録するエリアとされる。ここでは、ディスク１の記録／再生動作に必ず必要となるＵ−ＴＯＣセクタ０についてのみ説明を行うことにする。Ｕ−ＴＯＣセクタ０は、主にユーザが記録を行った楽曲や新たに楽曲が記録可能なフリーエリアについての管理情報が記録されているデータ領域である。
【００５１】
例えばディスク１にある楽曲の記録を行おうとする際には、システムコントローラ１０は、Ｕ−ＴＯＣセクタ０からディスク上のフリーエリアを検出し、ここに音声データを記録していくことになる。また、再生時には再生したい楽曲が記録されているエリアをＵ−ＴＯＣセクタ０から検出し、そのエリアにアクセスして再生動作を行う。
【００５２】
Ｕ−ＴＯＣセクタ０のデータ領域（４バイト×５８８＝２３５２バイト）は、先頭位置にオール０またはオール１の１バイトデータによって構成される合計１２バイトの同期パターンにクラスタアドレス及びセクタドレスを示すアドレスや、モード情報等が４バイト付加され、合計１６バイトで本セクタのヘッダが構成される。
【００５３】
セクタとは、２３５２バイトのデータ単位であり、３６セクタが１クラスタとなる。同期パターンやアドレスについては、このＵ−ＴＯＣセクタ０に限らず、前出のＴＯＣセクタや、実際に音楽データが記録されるデータセクタでも、そのセクタ単位で記録されている。クラスタアドレスは、上位アドレス（Cluster H）と下位アドレス（Cluster L）の２バイトで記され、セクタドレス（Sector）は１バイトで記される。
【００５４】
続いて所定バイト位置に、メーカーコード、モデルコードが記録される。また記録されているトラック数に応じて、各１バイトの領域で、最初の楽曲の曲番（First TNO）、最後の楽曲の曲番（Last TNO）が記録される。通常、最初の楽曲の曲番（First TNO）は“０１ｈ”である。また最後の楽曲の曲番（Last TNO）は記録されるトラック数に応じて書き換えられる。さらにセクタ使用状況（Used Sectors）、ディスクシリアルナンバー、ディスクID等のデータが記録される。
【００５５】
さらに、ユーザが録音を行って記録されているトラック（楽曲等）の領域やフリーエリア等を後述する管理テーブル部に対応させることによって識別するため、対応テーブル指示データ部として各種のテーブルポインタ（P-DFA、P-EMPTY、P-FRA、P-TNO1〜P-TNO255）が記録される領域が用意されている。
【００５６】
そしてテーブルポインタ（P-DFA〜P-TNO255）に対応させることになる管理テーブル部として（01h）〜（FFh）までの２５５個のパーツテーブルが設けられ、それぞれのパーツテーブルには、あるパーツについて起点となるスタートアドレス、終端となるエンドアドレス、そのパーツのトラックモードが記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようになっている。ここでパーツとは、１つのトラック内で時間的に連続したデータが物理的に連続して記録されているトラック部分のことをいう。
【００５７】
この種の記録再生装置では、１つの楽曲のデータを物理的に不連続に、複数のパーツにわたって記録されていてもパーツ間でアクセスしながら再生していくことにより再生動作に支障はないため、ユーザが記録する楽曲等については、記録可能エリアの効率使用の観点から、複数パーツに分けて記録する場合もある。
【００５８】
そのため、リンク情報が設けられ、例えばパーツテーブルに与えられたナンバー（01h）〜（FFh）によって、連結すべきパーツテーブルを指定することによってパーツテーブルが連結できるようになっている。つまりＵ−ＴＯＣセクタ０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理が為される。なお、実際のリンク情報は所定の演算処理によりＵ−ＴＯＣセクタ０内のバイトポジションとされる数値で示される。即ち、３０４＋（リンク情報）×８（バイト目）としてパーツテーブルを指定する。
【００５９】
Ｕ−ＴＯＣセクタ０の管理テーブル部における（01h）〜（FFh）までの各パーツテーブルは、対応テーブル指示データ部におけるテーブルポインタ（P-DFA、P-EMPTY、P-FRA、P-TNO1〜P-TNO255）によって、以下のようにそのパーツの内容が示される。
【００６０】
テーブルポインタP-DFAはディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥領域が存在する場合はテーブルポインタP-DFAにおいて（01h）〜（FFh）のいずれかが記録されており、それに相当するパーツテーブルには、欠陥パーツの物理的開始位置（スタートアドレス）と終了位置（エンドアドレス）が示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報として例えば“00h”とされ、以降リンクなしとされる。
【００６１】
テーブルポインタP-EMPTYは管理テーブル部における１つのパーツテーブル又は複数の未使用のパーツテーブルの先頭のパーツテーブルを示すものであり、未使用のパーツテーブルが存在する場合は、テーブルポインタP-EMPTYとして、（01h）〜（FFh）のいずれかが記録される。未使用のパーツテーブルが複数存在する場合は、テーブルポインタP-EMPTYによって指定されたパーツテーブルからリンク情報によって順次パーツテーブルが指定されていき、全ての未使用のパーツテーブルが管理テーブル上で連結されて管理される。
【００６２】
テーブルポインタP-FRAはディスク１上のデータの書込可能なフリーエリア（消去領域を含む）について示しており、フリーエリアとなるトラック部分（＝パーツ）が示された１つのパーツテーブル又は複数のパーツテーブル内の先頭のパーツテーブルを指定している。つまり、フリーエリアが存在する場合はテーブルポインタP-FRAにおいて（01h）〜（FFh）にいずれかが記録されており、それに相当するパーツテーブルには、フリーエリアであるパーツの物理的開始位置（スタートアドレス）と終了位置（エンドアドレス）が示されている。また、このようなパーツテーブルが複数存在する場合は、P-FRAによって指定されたパーツテーブルからリンク情報によって順次パーツテーブルが指定されていき、リンク情報が“00h”となるパーツテーブルまで順次指定されている。図4にパーツテーブルにより、フリーエリアとなるパーツの管理状態を模式的に示す。これはパーツ（05h）（10h）（35h）（7Fh）（F8h）がフリーエリアとされている時に、この状態が対応テーブル指示データP-FRAに引き続きパーツテーブル（05h）（10h）（35h）（7Fh）（F8h）のリンクによって表現されている状態を示している。なお上記した欠陥領域や未使用パーツテーブルの管理形態もこれと同様となる。
【００６３】
テーブルポインタP-TNO1〜P-TNO255は、ディスク１にユーザが記録を行った楽曲などのトラックについて示しており、例えばテーブルポインタP-TNO1では第１トラックのデータが記録された１つのパーツまたは複数のパーツのうちの時間的に先頭となるパーツが示されたパーツテーブルを指定している。例えば第1トラックとされた楽曲がディスク上でトラックが分断されずに１つのパーツで記録されている場合は、その第１トラックの記録領域はテーブルポインタP-TNO1で示されるパーツテーブルにおけるスタートアドレス及びエンドアドレスとして記録されている。また、例えば第２トラックとされた楽曲がディスク上で複数のパーツに離散的に記録されている場合は、その第２トラックの記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が“00h”となるパーツテーブルまで連結される（上記図４と同様の形態）。このように例えば２曲目を構成するデータが記録された全パーツが順次指定されて記録されることにより、このＵ−ＴＯＣセクタ０のデータを用いて、２曲目の再生時や、その２曲目の領域への上書き記録を行う際に、光学ヘッド３及び磁気ヘッド４をアクセスさせ離散的なパーツから連続的な音楽情報を取り出したり、記録エリアを効率的に使用した記録が可能となる。
【００６４】
各パーツテーブルに設けられるトラックモードの情報としてはその１バイトの各ビットによって所定の状態が示されている。トラックモードデータとなるd1〜d8の８ビットとして、まずｄ１が“0”又は“1”であることでライトプロテクト（記録不可）の状態が示される。またｄ２が“0”又は“1”であることでコピーライトプロテクトのオン／オフ情態が示される。さらにｄ３によってそのトラックがオリジナルデータか第２世代以降のコピーデータかが示される。また、ｄ４が“１”である場合はそのパーツはオーディオデータであると識別される。ｄ５、ｄ６、ｄ７によってATRACの記録モード（ATRAC1 SP、ATRAC3 LP2、ATRAC3 LP4）やモノラル／ステレオが識別され、ｄ８によってエンファシス情報が示される。
【００６５】
以上のようにＵ−ＴＯＣセクタ０が構成されることで、ディスク１での記録／再生動作に必要な領域のアドレスが管理されるとともに、さらにこのＵ−ＴＯＣセクタ０を更新することで、トラックの分割、連結、消去やトラックナンバーの入れ替えが可能になることが理解される。
【００６６】
このような管理情報を持つ記録媒体において、本実施の形態の記録又は再生装置は、記録媒体装着位置に装着された記録媒体の管理情報や、前回再生していたときの再生情報、及びサーボ制御に関する情報を記憶しておくことにより、管理情報の読み込み時間、記録媒体の記録又は再生時のサーボ起動時間が短縮され、所望の記録／再生動作に即座に移行できるだけでなく、前回記録又は再生していたときの状態への再設定が不要になるなど、ユーザにとっての操作性を向上することが目的とされるが、以下にその動作について説明する。
【００６７】
図５は本実施の形態における記録又は再生装置のブロック図である。図５において、１は光磁気ディスク（記録媒体）、２はそのディスク１を回転駆動するためのスピンドルモータ、３はディスク１に対してデータの記録及び再生を行うためにレーザ光を照射する光学ヘッド、１９は記録媒体装着位置に記録媒体が装着されているか検出する記録媒体有無検出手段、２０は記録媒体の記録／再生を行う記録媒体記録／再生手段、１０はシステムコントローラであって、管理情報を格納するＲＡＭ １０Ａを有し、２１はユーザの操作により記録や再生要求情報などを出力する記録／再生操作手段である。
【００６８】
ここで、図１との対応関係を説明しておくと、ディスク１、スピンドルモータ２、光学ヘッド３、システムコントローラ１０は図１と同様である。記録／再生操作手段２１は図１の操作ＫＥＹ１６に相当し、記録媒体記録／再生手段２０は図１の４〜９、１１〜１５等の要素を備えている。図１の誤消去防止爪１Ｂが設けられたディスクカートリッジ１Ａ、誤消去防止爪検出部１８、表示部１７は図５では図示されていない。なお、記録媒体有無検出手段１９については図８、図９を用いて後述する。
【００６９】
ここで、ＲＡＭ １０Ａとバッファメモリ１２に格納されるデータについて説明する。第１の例としては、管理情報はマイコン内部の内蔵ＲＡＭ１０Ａに格納され、バッファメモリ１２には、再生データのみが格納される。
【００７０】
第２の例としては、バッファメモリ１２にも管理情報が格納される。それは、管理情報は１ページあたり約２ｋバイトあり、マイコンの内蔵ＲＡＭに全ページ（ＭＤの場合、最大４ページ）持つと、マイコンのコストが上がってしまう。よって、その場合、バッファメモリ上に管理情報を持たせて、再生に必要な必要最低限の管理情報のみマイコンの内蔵ＲＡＭに格納する。第２の例が実質的な使い方である。
【００７１】
図６は本実施の形態における記録又は再生装置にディスクが挿入されたときの動作についての制御フローチャート例であり、図７は本実施の形態における記録又は再生装置がＰＯＷＥＲ ＯＮしたときの制御フローチャート例である。
【００７２】
まず、図６の動作について説明する。
【００７３】
ディスクが挿入されると、記録媒体記録／再生手段２０はシステムコントローラ１０からの要求を受けて、スピンドルモータ２及び光学ヘッド３を動作させると共にフォーカスサーボ、トラッキングサーボ、トラバースサーボ、スピンドルサーボなど全サーボ引き込み動作を行うと共に、フォーカス／トラッキング系についてはループゲイン調整やバランス調整など安定なサーボ動作を実現するためのサーボ系の調整処理を行う（Ｆ１０１）。全サーボ引き込み終了後、記録媒体記録／再生手段２０はシステムコントローラ１０からの要求を受けて現在位置から管理情報が記録されているエリアまで光学ヘッド３を移動させアクセス処理を行い、管理情報の読み込みを行う（Ｆ１０２）。管理情報の読み込み終了後、システムコントローラ１０は読み出された管理情報をＲＡＭ１０Ａに記憶させる（Ｆ１０３）。管理情報の記憶が終了すると、システムコントローラ１０はユーザからの操作待ちとなる（Ｆ１０４）。記録／再生操作手段２１よりＰＯＷＥＲ ＯＦＦ要求が来ると（Ｆ１０５）、本実施の形態の記録又は再生装置はＰＯＷＥＲ ＯＦＦを行う（Ｆ１０６）。また、ユーザ操作待ちの状態（Ｆ１０４）で、記録／再生操作手段２１より再生要求が来ると（Ｆ１０７）、システムコントローラ１０は記録媒体記録／再生手段２０を制御し、ＲＡＭ１０Ａに記憶された管理情報のパーツテーブルを参照して、所定位置に光学ヘッド３を移動させ、再生を開始する（Ｆ１０８）。再生が終了（Ｆ１０９）した後、記録／再生操作手段２１よりＰＯＷＥＲ ＯＦＦ要求が来ると（Ｆ１１０）、本実施の形態の記録又は再生装置はＰＯＷＥＲ ＯＦＦを行う（Ｆ１１１）。また、ユーザ操作待ちの状態（Ｆ１０４）で、記録／再生操作手段２１より記録要求が来ると（Ｆ１１２）、システムコントローラ１０は記録媒体記録／再生手段２０を制御し、ＲＡＭ１０Ａに記憶された管理情報のパーツテーブルを参照して、所定位置に光学ヘッド３を移動させ、記録を開始する（Ｆ１１３）。記録が終了（Ｆ１１４）した後、記録／再生操作手段２１よりＰＯＷＥＲ ＯＦＦ要求が来ると（Ｆ１１５）、本実施の形態の記録又は再生装置は記録が終了したディスクの更新された管理情報を記憶し（Ｆ１１６）、ＰＯＷＥＲ ＯＦＦを行う（Ｆ１１７）。なお、（Ｆ１１６）での更新された管理情報の記憶は、（Ｆ１０３）でＲＡＭ１０Ａに記憶された管理情報に上書きされて記憶される。
【００７４】
次に、図７の動作について説明する。本実施の形態における記録又は再生装置において、図６で説明したＰＯＷＥＲ ＯＦＦ後、ＰＯＷＥＲ ＯＮされると、記録媒体有無検出手段１９により、記録媒体装着位置に記録媒体が有るか検出を行う（Ｆ１１８）。記録媒体がなければ（Ｆ１１８：Ｎの場合）、記録媒体挿入待ちとなる（Ｆ１２２）。記録媒体があれば（Ｆ１１８：Ｙの場合）、システムコントローラ１０はユーザからの操作待ちとなる（Ｆ１１９）。記録／再生操作手段２１より再生又は記録要求が来ると（Ｆ１２０）、システムコントローラ１０は、ＲＡＭ１０Ａに記憶されている管理情報が現在記録媒体装着位置に装着されている記録媒体の管理情報であると判断し、ＲＡＭ１０Ａに記憶されている管理情報を参照して、再生又は記録を開始する（Ｆ１２１）。Ｆ１２１移行の制御フローチャートは、図６で説明した再生もしくは記録開始後と同様のため、説明は省略する。よって、本実施の形態における記録又は再生装置においては、ＰＯＷＥＲ ＯＮ時に記録媒体装着位置に記録媒体があれば、記憶手段に記憶されている管理情報は、現在装着されている記録媒体の管理情報として、記録又は再生を開始できるため、管理情報読み込みの必要がなく、記録又は再生開始までの時間が大幅に短縮できる。
【００７５】
また、本例では、ＰＯＷＥＲ ＯＦＦ／ＯＮ時で説明したが、当該記録媒体の記録／再生以外の状態へ切り替えられてから、当該記録媒体の記録又は再生要求が来た時も同様であるため、説明は省略する。
【００７６】
なお、本例では、管理情報をシステムコントローラ１０に内蔵されたＲＡＭ１０Ａに記憶する手段について説明したが、ＥＥＰＲＯＭなどの不揮発性メモリや電源構成を工夫すればＤＲＡＭなどの外部メモリでも実現可能であり、システムコントローラに内蔵されたＲＡＭ１０Ａの使用に限定するものではない。
【００７７】
次に記録媒体装着位置に記録媒体が有るか検出を行う記録媒体有無検出手段１９の第１の例について説明する。図８は本実施の形態における記録媒体の記録又は再生装置において第１の例の記録媒体有無検出手段を搭載したブロック図である。
【００７８】
図８において、１９Ａは第１の例の記録媒体有無検出手段であって、記録媒体記録／再生手段２０の一部を使って構成される。その他は図５と同様のため説明は省略する。記録媒体記録／再生手段２０はシステムコントローラ１０から要求を受けて、光学ヘッド３のレーザをＯＮさせると共に、光学ヘッドを上下方向に動作させる。光学ヘッド３から光磁気ディスク（記録媒体）１からの反射光が出力されれば、ＲＦＩＣ６で反射光の増幅処理が為されて、サーボ回路８に入力される。サーボ回路８内で増幅処理が為された信号が検出できれば、記録媒体有無検出手段１９Ａは、記録媒体装着位置に記録媒体有りと検出する。記録媒体有無検出手段１９Ａは、システムコントローラ１０からの要求に対して、記録媒体有無検出結果をシステムコントローラ１０に出力する。よって、本例では、記録媒体有無検出手段１９Ａが記録又は再生装置に必要な記録／再生手段２０に含まれるため、特別な回路や制御手段を必要とせず、実現は非常に容易である。
【００７９】
次に記録媒体装着位置に記録媒体が有るか検出を行う記録媒体有無検出手段１９の第２の例について説明する。図９は本実施の形態における記録媒体の記録又は再生装置において第２の例の記録媒体有無検出手段を搭載したブロック図である。
【００８０】
図９において、２２は記録媒体装着手段、１９Ｂは第２の例の記録媒体有無検出手段であって、記録媒体装着手段２２に組み込まれる。その他は図５と同様のため説明は省略する。記録媒体有無検出手段１９Ｂはスイッチで構成されており、記録媒体装着手段２２に記録媒体が装着されると、スイッチが押される仕組みになっている。例えば、回路的にスイッチが押された場合“Ｈ”、スイッチ押されていない場合“Ｌ”となるように極性を設定しておくと、記録媒体有無検出手段１９Ｂからの出力をシステムコントローラ１０に入力したとき、“Ｈ”が入力されれば、記録媒体装着位置に記録媒体有り、一方“Ｌ”が入力されれば、記録媒体無しと判断される。よって、本例では、記録媒体装着手段２２に組み込まれた記録媒体有無検出手段１９Ｂからの情報を、システムコントローラ１０の汎用ポートで受けることで容易に実現可能である。
【００８１】
次に図９の構成において、記録媒体装着手段２２に装着された記録媒体１が取り出された時の動作について説明する。図１０は本実施の形態における図９の記録又は再生装置の動作についての制御フローチャート例である。図６で説明したディスク挿入後に、記録媒体有無検出手段１９Ｂでディスク無しと判断（ディスクが取り出されたと判断）されると（Ｆ１２３：Ｎの場合）、ＲＡＭ１０Ａに記憶された管理情報は無効であると判断する（Ｆ１２６）。以後、ディスク挿入待ちとなり（Ｆ１２７）、ディスク挿入されれば、図６で説明したように動作する。一方、記録媒体有無検出手段１９Ｂでディスク有りと判断されると（Ｆ１２３：Ｙの場合）、管理情報を保持し続け（Ｆ１２４）、ユーザ操作待ちとなる（Ｆ１２５）。記録媒体有無検出手段１９Ｂにおいては、電源がオフのときに記録媒体が抜かれる可能性のある携帯型ディスクプレーヤにおいては、例えばユーザがメカの蓋をオープンしたときに電源が入るようにしておけば、記録媒体有無の検出を行うことができるため、記録媒体装着位置に記録媒体が無いことを検出できなかったり、記録媒体が交換されているのに交換される前の管理情報を参照し、誤って記録又は再生動作に入ってしまうなどの誤動作は起こらない。
【００８２】
次にＲＡＭ１０Ａに管理情報だけでなく、前回記録又は再生していたときの記録／再生状態に関する情報をも記憶する例について説明する。この場合の本実施の形態における記録媒体の記録又は再生装置のブロック図を図１１に示す。ＲＡＭ１０Ａに前回記録または再生していたときの記録／再生状態に関する情報をＰＯＷＥＲ ＯＦＦまでの任意のタイミングで記憶しておく。ここで、記録／再生状態に関する情報とは、記録に関しては、デジタルＲＥＣボリューム設定値、記録入力ソース選択情報等であり、再生に関しては、プログラム再生情報、再生ボリューム値、音場設定情報等である。これらの情報を記憶させることで、再度同一記録媒体から、記録又は再生する際のユーザの再設定が不要となるため、ユーザの操作性が向上される。記録媒体が取り出されたとき、図１０で管理情報の無効判断を行ったが、当然のことながら、記録／再生状態に関する情報も記録媒体が取り出されたときは無効と判断される。
【００８３】
次にＲＡＭ１０Ａに管理情報だけでなく、前回管理情報を再生したときの記録媒体のサーボ制御に関する情報をも記憶する例について説明する。この場合の本実施の形態における記録媒体の記録又は再生装置のブロック図を図１２に示す。本実施の形態の記録又は再生装置では、ディスク挿入後、サーボ系の調整と引き込み処理を実行し、管理情報の読み込みを直ちに行うが、このときのサーボ系の調整結果を、ＰＯＷＥＲ ＯＦＦまでの任意のタイミングで記憶しておく。ここで、サーボ系の調整結果とは、フォーカス／トラッキング系それぞれのループゲイン調整結果やバランス調整結果等である。これらのサーボ系の調整結果を記憶させることで、再度同一記録媒体から、記録又は再生をする際、サーボ制御の立ち上げ処理を簡素化できるため、記録又は再生開始までの時間が短縮できる。記録媒体が取り出されたとき、図１０で管理情報の無効判断を行ったが、当然のことながら、記録媒体のサーボ制御に関する情報も記録媒体が取り出されたときは無効と判断される。
【産業上の利用可能性】
【００８４】
本発明は、情報記録媒体の一例としてＭＤを用いた例について説明したが、これに限らず、本発明は管理情報によって記録データが管理されるシステムあれば適用することが可能である。勿論、記録媒体がディスクの記録媒体以外の、例えば、テープ上の記録媒体や固定メモリである記録／再生装置としても適用可能である。
【図面の簡単な説明】
【００８５】
【図１】本発明の一実施形態における記録又は再生装置のブロック図である。
【図２】ＭＤシステムのＴＯＣセクタ０の構成図である。
【図３】ＭＤシステムのＵ−ＴＯＣセクタ０の構成図である。
【図４】ＭＤシステムのＵ−ＴＯＣセクタ０のリンク形態の説明図である。
【図５】本発明の一実施形態における記録又は再生装置のブロック図である。
【図６】本実施の形態における記録又は再生装置にディスクが挿入されたときの制御フローチャートである。
【図７】本実施の形態における記録又は再生装置がＰＯＷＥＲ ＯＮしたときの制御フローチャートである。
【図８】第１の例の記録媒体有無検出手段を搭載した、本発明の一実施形態における記録又は再生装置のブロック図である。
【図９】第２の例の記録媒体有無検出手段を搭載した、本発明の一実施形態における記録又は再生装置のブロック図である。
【図１０】本実施の形態における記録又は再生装置からディスクが取り出されたときの制御フローチャートである。
【図１１】本発明の一実施形態における記録又は再生装置のブロック図である。
【図１２】本発明の一実施形態における記録又は再生装置のブロック図である。
【符号の説明】
【００８６】
１  …  ディスク
２  …  スピンドルモータ
３  …  光学ヘッド
６  …  ＲＦＩＣ
８  …  サーボ回路
１０  …  システムコントローラ
１０Ａ  …  ＲＡＭ
１９  …  記録媒体有無検出手段
２０  …  記録媒体記録／再生手段
２１  …  記録／再生操作手段
【図１】
2006252723.tif 000003
【図２】
2006252723.tif 000004
【図３】
2006252723.tif 000005
【図４】
2006252723.tif 000006
【図５】
2006252723.tif 000007
【図６】
2006252723.tif 000008
【図７】
2006252723.tif 000009
【図８】
2006252723.tif 000010
【図９】
2006252723.tif 000011
【図１０】
2006252723.tif 000012
【図１１】
2006252723.tif 000013
【図１２】
2006252723.tif 000014